(57)【要約】【課題】  経時安定性に優れ、さらに適度な硬さを有し、すばやく泡立ち（速泡性があり）かつ起泡性に優れ、クリーミィな泡質を提供できる組成物であり、肌に対して低刺激性であり、洗浄時および洗い上がりの感触が良好であり、かつ洗浄後の肌にはりを与えることができるクリーム状洗浄剤組成物を提供すること。【解決手段】  （ａ）炭素数８〜１８の脂肪酸（ＦＡ１）と炭素数１９〜２２の脂肪酸（ＦＡ２）とを、５〜２００の質量比（ＦＡ１／ＦＡ２）で含む混合脂肪酸；（ｂ）炭素数２〜６の二価アルコール；（ｃ）アルカノールアミド型非イオン性界面活性剤；（ｄ）キレート剤；および（ｅ）アルカリ金属水酸化物を含有するクリーム状洗浄剤組成物であって、該クリーム状洗浄剤組成物中に該（ａ）混合脂肪酸が２０〜５０質量％、該（ｂ）二価アルコールが５〜１５質量％、該（ｃ）非イオン性界面活性剤が０．５〜４質量％、および該（ｄ）キレート剤が０．１〜２質量％含まれ、そして該（ｅ）アルカリ金属水酸化物が該（ａ）混合脂肪酸に対して０．６５〜０．９モル当量含まれるクリーム状洗浄剤組成物。【選択図】  なし【特許請求の範囲】
【請求項１】
（ａ）炭素数８〜１８の脂肪酸（ＦＡ１）と炭素数１９〜２２の脂肪酸（ＦＡ２）とを、５〜２００の質量比（ＦＡ１／ＦＡ２）で含む混合脂肪酸；
（ｂ）炭素数２〜６の二価アルコール；
（ｃ）アルカノールアミド型非イオン性界面活性剤；
（ｄ）キレート剤；および
（ｅ）アルカリ金属水酸化物
を含有するクリーム状洗浄剤組成物であって、
該クリーム状洗浄剤組成物中に該（ａ）混合脂肪酸が２０〜５０質量％、該（ｂ）二価アルコールが５〜１５質量％、該（ｃ）非イオン性界面活性剤が０．５〜４質量％、および該（ｄ）キレート剤が０．１〜２質量％含まれ、そして該（ｅ）アルカリ金属水酸化物が該（ａ）混合脂肪酸に対して０．６５〜０．９モル当量含まれる、クリーム状洗浄剤組成物。
【請求項２】
さらに、（ｆ）ソルビタン脂肪酸エステル型非イオン性界面活性剤が０．１〜５質量％含まれる、請求項１に記載のクリーム状洗浄剤組成物。
【請求項３】
さらに、
（ｇ）式（Ｉ）で示されるアルキルアミノジカルボン酸塩型両性界面活性剤：
【化１】
2006096913.tif 000007
（式中のＲ１は炭素数８〜２０の直鎖または分岐のアルキル基を示し；ｍおよびｎはそれぞれ独立して１または２であり；そしてＭ１およびＭ２はそれぞれ独立して水素原子またはアルカリ金属原子である）；および／または
（ｈ）硫酸基を有する陰イオン性界面活性剤
が０．５〜８質量％含まれる、請求項１または２に記載のクリーム状洗浄剤組成物。
【発明の詳細な説明】
【技術分野】
【０００１】
本発明は、ボディーシャンプー、ハンドソープおよび洗顔料などの皮膚用のクリーム状洗浄剤組成物に関する。詳しくは、経時安定性に優れ、さらに適度な硬さを有し、すばやく泡立ち（速泡性があり）かつ起泡性に優れ、クリーミィな泡質を提供できる組成物であり、肌に対して低刺激性であり、洗浄時および洗い上がりの感触が良好であり、かつ洗浄後の肌にはりを与えることができるクリーム状洗浄剤組成物に関する。
【背景技術】
【０００２】
一般に、ボディーシャンプーや洗顔料などの皮膚洗浄剤組成物の主成分は、高級脂肪酸アルカリ塩である石けんである。石けんは洗浄後に独特のさっぱり感を与えるだけでなく生分解性も良好であり、環境に対しても優しい洗浄基剤であることから現在でも広く使われている。
【０００３】
特に使用感が敏感に感じられる顔用の洗浄剤（洗顔料）では、洗浄後にさっぱりとする感触が好まれるとともに、アクネなどを効果的に防止することが望まれる。そのため、洗顔料は、石けん系の処方とすることが最適である。そして、使用性、感触などの面からクリーム状とした洗顔料が好まれて使用されている。
【０００４】
ところが、このクリーム状の洗顔料は遊離の脂肪酸を添加する（過脂肪の系である）ことが一般的である。そのため、過脂肪酸系の洗顔料は、長時間しかも幅広い温度範囲で安定に保つことが特に困難であり、経時で「たれ」が生じたり、硬くなったりするという問題が生じ易い。
【０００５】
また、この過脂肪系においては、過脂肪分である遊離脂肪酸および石けんから、一般的に酸性石けんと称する水に難溶性の塩が形成される。そのため、低温（０℃〜５℃）や高温（４０℃）の特定温度での静置保存により、この酸性石けんの結晶が成長して「ダマ」や「粒」が生じるなど、問題が多い。
【０００６】
クリーム状洗浄剤として、粘土鉱物を配合した石けんに、キレート剤および炭素数２０以上の脂肪酸を配合する洗浄剤（特許文献１）、石けんおよび保湿剤に特定量の油分を配合したクリーム状洗浄剤（特許文献２）、石けんを含むアニオン界面活性剤および特定の陽イオン性高分子を配合したクリーム状洗浄剤（特許文献３）、ラウリン酸、ミリスチン酸、およびパルミチン酸を特定の比率で配合し、炭素数１８以上の脂肪酸を含有しないことを特徴とするクリーム状洗浄剤（特許文献４）、および炭素数１２以下の脂肪酸含有率を１％以下とした組成の石けんと、アニオン性または両性界面活性剤とを組み合わせたクリーム状皮膚洗浄剤（特許文献５）が開示されている。
【０００７】
しかし、いずれのクリーム状洗浄剤も、酸性石けんの生成を必ずしも十分抑制できず、前記の特定の温度で静置保存すると「粒」が発生する場合があった。さらに、速泡性および起泡性が充分でなく、スティンギング性（ひりひり感）を有しているうえ、洗浄後の肌にはりを与えることはできない場合がある。
【特許文献１】特開平１−１４９７１５号公報（特許第２５２６６０９号）
【特許文献２】特公平４−７５２７９号公報
【特許文献３】特公平６−３１４１２号公報
【特許文献４】特開平１０−１８２４１９号公報
【特許文献５】特開平７−３０９７４２号公報
【発明の開示】
【発明が解決しようとする課題】
【０００８】
本発明の目的は、経時安定性に優れ、さらに適度な硬さを有し、すばやく泡立ち（速泡性があり）かつ起泡性に優れ、クリーミィな泡質を提供できる組成物であり、肌に対して低刺激性であり、洗浄時および洗い上がりの感触が良好であり、かつ洗浄後の肌にはりを与えることができるクリーム状洗浄剤組成物を提供することにある。
【課題を解決するための手段】
【０００９】
本発明のクリーム状洗浄剤組成物は、（ａ）炭素数８〜１８の脂肪酸（ＦＡ１）と炭素数１９〜２２の脂肪酸（ＦＡ２）とを、５〜２００の質量比（ＦＡ１／ＦＡ２）で含む混合脂肪酸；（ｂ）炭素数２〜６の二価アルコール；（ｃ）アルカノールアミド型非イオン性界面活性剤；（ｄ）キレート剤；および（ｅ）アルカリ金属水酸化物を含有するクリーム状洗浄剤組成物であって、該クリーム状洗浄剤組成物中に該（ａ）混合脂肪酸が２０〜５０質量％、該（ｂ）二価アルコールが５〜１５質量％、該（ｃ）非イオン性界面活性剤が０．５〜４質量％、および該（ｄ）キレート剤が０．１〜２質量％含まれ、そして該（ｅ）アルカリ金属水酸化物が該（ａ）混合脂肪酸に対して０．６５〜０．９モル当量含まれる。
【００１０】
本発明のクリーム状洗浄剤組成物は、さらに（ｆ）ソルビタン脂肪酸エステル型非イオン性界面活性剤が０．１〜５質量％含まれる。
【００１１】
本発明のクリーム状洗浄剤組成物は、さらに（ｇ）式（Ｉ）で示されるアルキルアミノジカルボン酸塩型両性界面活性剤：
【００１２】
【化１】
2006096913.tif 000002
【００１３】
（式中のＲ１は炭素数８〜２０の直鎖または分岐のアルキル基を示し；ｍおよびｎはそれぞれ独立して１または２であり；そしてＭ１およびＭ２はそれぞれ独立して水素原子またはアルカリ金属原子である）、および／または（ｈ）硫酸基を有する陰イオン性界面活性剤が０．５〜８質量％含まれる。
【発明の効果】
【００１４】
本発明のクリーム状洗浄剤組成物は、経時安定性に優れ、さらに適度な硬さを有し、すばやく泡立ち（速泡性があり）かつ起泡性に優れ、クリーミィな泡質を提供できる組成物であり、肌に対して低刺激性であり、洗浄時および洗い上がりの感触が良好であり、かつ洗浄後の肌にはりを与える。
【発明を実施するための最良の形態】
【００１５】
本発明のクリーム状洗浄剤組成物には、（ａ）混合脂肪酸、（ｂ）二価アルコール、（ｃ）アルカノールアミド型非イオン性界面活性剤、（ｄ）キレート剤、および（ｅ）アルカリ金属水酸化物が含まれる。
【００１６】
本発明のクリーム状洗浄剤組成物は、さらに（ｆ）ソルビタン脂肪酸エステル型非イオン性界面活性剤が含まれる。
【００１７】
本発明のクリーム状洗浄剤組成物は、さらに（ｇ）アルキルアミノジカルボン酸塩型両性界面活性剤、および／または（ｈ）硫酸基を有する陰イオン性界面活性剤が含まれる。
【００１８】
以下、本発明のクリーム状洗浄剤の成分について順次説明する。
【００１９】
（各成分）
（ａ）混合脂肪酸
本発明のクリーム状洗浄剤組成物に用いられる混合脂肪酸（以下、ａ成分という場合がある）は、炭素数８〜２２の脂肪酸で構成されており、炭素数８〜１８の脂肪酸（ＦＡ１）と炭素数１９〜２２の脂肪酸（ＦＡ２）とを含む。ＦＡ１とＦＡ２との質量比（ＦＡ１／ＦＡ２）は５〜２００、好ましくは７〜１５０、さらに好ましくは１０〜１００である。ＦＡ１とＦＡ２との質量比が５未満の場合は速泡性、起泡性および使用性が悪くなる。また、ＦＡ１とＦＡ２との質量比が２００を超える場合には安定性が悪くなる。
【００２０】
ＦＡ１としては、カプリル酸（Ｃ８）、カプリン酸（Ｃ１０）、ラウリン酸（Ｃ１２）、ミリスチン酸（Ｃ１４）、パルミチン酸（Ｃ１６）、ステアリン酸（Ｃ１８）、およびオレイン酸（Ｃ１８）などが挙げられる。ＦＡ２としては、ベヘニン酸（Ｃ２０）などが挙げられる。
【００２１】
さらに、クリーム状洗浄剤組成物としてより高い機能を発揮するために、上記混合脂肪酸（ａ成分）は、ＦＡ１（炭素数８〜１８の脂肪酸）成分として、ラウリン酸（ａ１）、ミリスチン酸（ａ２）、パルミチン酸（ａ３）、およびステアリン酸（ａ４）を用い、ＦＡ２（炭素数１９〜２２の脂肪酸）の成分として、ベヘニン酸（ａ５）を用いることが好ましい。必要に応じて、上記ａ１〜ａ５以外の炭素数８〜２２の脂肪酸を、ＦＡ１／ＦＡ２の比が５〜２００となるように添加してもよい。
【００２２】
これらの脂肪酸を用いる場合、ラウリン酸（ａ１）が２〜１３質量％、好ましくは３〜１２質量％；ミリスチン酸（ａ２）が４０〜７５質量％、好ましくは４５〜７０質量％；パルミチン酸（ａ３）が２〜１５質量％、好ましくは３〜１３質量％；ステアリン酸（ａ４）が１０〜３５質量％、好ましくは１０〜３０質量％；およびベヘニン酸（a５）が１〜１０質量％、好ましくは１〜８質量％である。そして、ａ３およびａ４の合計質量と、ａ５の質量の割合（（ａ３＋ａ４）／ａ５）が３〜３０、好ましくは５〜３０で、かつ上記ａ１〜上記ａ５の合計質量が８０〜１００質量％、好ましくは９０〜１００質量％である混合脂肪酸であることが望ましい。
【００２３】
ａ１が２質量％未満の場合は速泡性および起泡性が悪くなりやすく、１３質量％を超える場合は刺激性が強くなったり泡質が悪くなったりすることがある。ａ２が４０質量％未満の場合は起泡性が悪くなることがあり、７５質量％を超える場合は使用性および安定性に影響を与えることがある。ａ３が２質量％未満の場合は泡質および安定性が悪くなることがあり、１５質量％を超える場合は洗願後の肌の感触が悪くなりやすい。ａ４が１０質量％未満の場合は安定性が悪くなることがあり、３５質量％を超える場合は起泡性、使用性、および洗願後の肌の感触が悪くなりやすい。ａ５が１質量％未満の場合は安定性が悪くなることがあり、１０質量％を超える場合は使用性や速泡性が悪くなることがある。
【００２４】
また、ａ３およびａ４の合計質量と、ａ５の質量の割合（（ａ３＋ａ４）／ａ５）が３未満の場合は使用性や速泡性が悪くなることがあり、３０を超える場合は安定性が悪くなりやすい。さらに、ａ１〜ａ５の合計質量（ａ１＋ａ２＋ａ３＋ａ４＋ａ５）が８０質量％未満の場合は、洗願後の肌の感触、刺激性、および洗願後の肌のはりが悪くなることがある。
【００２５】
（ｂ）二価アルコール
本発明のクリーム状洗浄剤組成物に用いられる二価アルコール（以下、ｂ成分という場合がある）は、炭素数が２〜６であって、１分子内に２個の水酸基を有する水溶性の化合物である。具体的には、エチレングリコール、プロピレングリコール、ジエチレングリコール、１，３−ブチレングリコール、１，２−ペンタンジオール、ヘキシレングリコール、およびジプロピレングリコールなどが挙げられる。これらの中でもメイク汚れに対する洗浄性および泡質の点から、１，２−ペンタンジオール、１，３−ブチレングリコール、およびジプロピレングリコールが好ましい。
【００２６】
（ｃ）アルカノールアミド型非イオン性界面活性剤
本発明のクリーム状洗浄剤組成物に用いられるアルカノールアミド型非イオン性界面活性剤（以下、ｃ成分という場合がある）は、脂肪酸とアルカノールアミンとの縮合反応、および油脂とアルカノールアミンとのアミノリシス反応などにより調製される。これらの脂肪酸の具体例としては、カプリル酸、カプリン酸、ラウリン酸、ミリスチン酸、パルミチン酸、ステアリン酸、オレイン酸、リノール酸、ヤシ油脂肪酸、パーム核油脂肪酸、ひまわり油脂肪酸、および硬化牛脂脂肪酸などが挙げられ、アルカノールアミンの具体例としては、モノエタノールアミン、ジエタノールアミン、およびモノイソプロパノールアミンなどが挙げられる。
【００２７】
（ｄ）キレート剤
本発明のクリーム状洗浄剤組成物に用いられるキレート剤（以下、ｄ成分という場合がある）は、水中の重金属イオンやアルカリ土類金属イオンをキャッチする金属イオン封鎖剤であり、一般に有機系キレート剤および無機系のキレート剤がある。有機系のキレート剤として代表的なものはアミノカルボン酸系キレート剤であり、具体例として、エチレンジアミンテトラ酢酸（ＥＤＴＡ）、ニトリロトリ酢酸（ＮＴＡ）、ヒドロキシエチルイミノジ酢酸（ＨＩＤＡ）、ヒドロキシエチルエチレンジアミントリ酢酸（ＥＨＤＴＡ）、ジエチレントリアミンペンタ酢酸（ＤＴＰＡ）、トリエチレンテトラアミンヘキサ酢酸（ＴＴＨＡ）、ジカルボキシメチルグルタミン酸（ＧＬＤＡ）、ジヒドロキシエチルグリシン（ＤＨＥＧ）、１，３−プロパンジアミンテトラ酢酸（ＰＤＴＡ）、および１，３−ジアミノ−２−ヒドロキシプロパンテトラ酢酸（ＤＰＴＡ−ＯＨ）；およびそれらの塩類などがある。また、その他のキレート剤の具体例としては、ヒドロキシエタンジホスホン酸（ＨＥＤＰ）、ニトリロトリスメチレンホスホン酸（ＮＴＭＰ）、ホスホノブタントリカルボン酸（ＰＢＴＣ）、クエン酸、およびアスコルビン酸；およびそれらの塩類などがある。その中でも泡立ち、泡質、および安定性の点でＥＤＴＡ、ＰＤＴＡ、ＤＰＴＡ−ＯＨ、ＨＥＤＰおよびそれらの塩類が好ましく、特にＥＤＴＡまたはその塩と、ＨＥＤＰまたはその塩とを併用することが好ましく、モル比（ＥＤＴＡ／ＨＥＤＰ）は１０／１〜１／２を満足する範囲が好ましい。
【００２８】
（ｅ）アルカリ金属水酸化物
本発明のクリーム状洗浄剤組成物に用いられるアルカリ金属水酸化物（以下、ｅ成分という場合がある）としては、水酸化カリウムまたは水酸化ナトリウムが好ましい。製品の硬さや使用時の溶解性、速泡性、安定性、および泡質の点で、水酸化カリウムと水酸化ナトリウムとを併用することが好ましく、モル比は９０／１０〜９８／２を満足する範囲が好ましい。
【００２９】
（ｆ）ソルビタン脂肪酸エステル型非イオン性界面活性剤
本発明のクリーム状洗浄剤組成物には、安定性向上および泡質を改善するために、必要に応じてソルビタン脂肪酸エステル型非イオン性界面活性剤（以下、ｆ成分という場合がある）が含まれる。ソルビタン脂肪酸エステル型非イオン性界面活性剤は、通常ソルビタンおよび脂肪酸をモル比１：１〜１：４でエステル化して製造される。ここで、使用される脂肪酸としてはラウリン酸、ミリスチン酸、パルミチン酸、ステアリン酸、パルミトレイン酸、オレイン酸、リノール酸、およびリノレン酸などの直鎖脂肪酸；イソステアリン酸などの分岐飽和脂肪酸；およびヤシ油脂肪酸、パーム核油脂肪酸、パーム油脂肪酸、オリーブ油脂肪酸、ヒマワリ油脂肪酸、牛脂脂肪酸、および硬化牛脂脂肪酸などの混合脂肪酸が挙げられる。これらの中でも泡質および泡もちの点で、パルミチン酸およびステアリン酸が好ましい。
【００３０】
（ｇ）アルキルアミノジカルボン酸塩型両性界面活性剤
本発明のクリーム状洗浄剤組成物には、より刺激性低下と泡立ちの改善、および洗浄後の感触向上のために、必要に応じて式（Ｉ）で示されるアルキルアミノジカルボン酸塩型両性界面活性剤（以下、ｇ成分という場合がある）が含まれる。式（Ｉ）中のＲ１は炭素数８〜２０の直鎖または分岐のアルキル基、好ましくは炭素数１０〜１６の直鎖飽和アルキル基である。ｍおよびｎはそれぞれ独立して１または２であるが、ｎおよびｍがどちらも１である場合が好ましい。そして、Ｍ１およびＭ２はカルボン酸の対イオンを示し、それぞれ独立して水素原子またはアルカリ金属原子である。
【００３１】
（ｈ）硫酸基を有する陰イオン性界面活性剤
本発明のクリーム状洗浄剤組成物は、より刺激性低下と泡立ちの改善、および洗浄後の感触向上のために、必要に応じて硫酸基を有する陰イオン性界面活性剤（以下、ｈ成分という場合がある）を含んでもよい。硫酸基を有する陰イオン性界面活性剤とは、親水基として硫酸基を有し、その硫酸基は親油基に対し直接またはエステルとして結合し、一般的にはサルフェートまたはスルホネートと称される化合物である。具体例としては、アルキルベンゼンスルホン酸塩、α−オレフィンスルホン酸塩、アルキルエーテル硫酸塩、アミドエーテル硫酸塩、アシルイセチオン酸塩、およびアシルアルキルタウリン塩などが挙げられる。そして、これらのアニオン性界面活性剤の対イオンを形成する原子または基はアルカリ金属原子、アルカリ土類金属原子、アンモニウム、有機アミンおよび塩基性アミノ酸のカチオン性残基であり、例えば、ナトリウム原子、カリウム原子、マグネシウム原子、ジエタノールアミン、トリエタノールアミン、およびメチルタウリンなどが挙げられる。具体的には、アルキルエーテル硫酸塩として、ポリオキシエチレン（２モル）ラウリルエーテル硫酸ナトリウムおよびポリオキシエチレン（３モル）ヤシアルキルエーテル硫酸トリエタノールアミンなど；アミドエーテル硫酸塩として、ポリオキシエチレン（３モル）ヤシ油脂肪酸モノエタノールアミド硫酸ナトリウムなど；アシルイセチオン酸塩として、ヤシ油脂肪酸アシルイセチオン酸ナトリウムなど；アシルアルキルタウリン塩として、ヤシ油脂肪酸アシルメチルタウリンナトリウムおよびステアリン酸アシルメチルタウリンマグネシウムなどが挙げられる。中でも起泡性、洗浄時および洗浄後の感触、刺激性、および生分解性などから、アルキルエーテル硫酸塩、アミドエーテル硫酸塩、アシルイセチオン酸塩、およびアシルアルキルタウリン塩が好ましく、アミドエーテル硫酸塩、アシルイセチオン酸塩、およびアシルアルキルタウリン塩がさらに好ましい。
【００３２】
上記ａ〜ｈ成分の他に、本発明の効果を損なわない範囲で、洗浄剤に常用されている添加剤（以下、ｉ成分という場合がある）を配合することも可能である。添加剤の具体例としては、エタノールおよびイソプロピルアルコールなどの低級アルコール；流動パラフィン、流動イソパラフィン、スクワラン、ワセリン、および固形パラフィンなどの炭化水素系油；牛脂、豚脂、および魚油などの天然油脂類；トリ２−エチルヘキサン酸グリセリルなどの合成トリグリセライド；ミリスチン酸イソプロピル、パルミチン酸イソプロピル、パルミチン酸セチル、オレイン酸エチル、オレイン酸オレイル、およびミリスチン酸オクチルドデシルなどのエステル油；ミツロウおよびカルナバロウなどのロウ類；直鎖および環状のジメチルポリシロキサン、ポリエーテル変性ジメチルポリシロキサン、およびアミノ変性ジメチルポリシロキサンなどのシリコーン誘導体；セラミド、コレステロール、蛋白誘導体、ラノリン、ラノリン誘導体、およびレシチンなどの油性基剤；ポリオキシエチレンアルキルエーテルおよびポリエチレングリコールの脂肪酸エステル、ポリオキシエチレンソルビタン脂肪酸エステル、ポリオキシエチレン硬化ひまし油、ポリグリセリン脂肪酸エステル、ポリオキシエチレングリセリン脂肪酸エステル、グリセリンモノ脂肪酸エステル、およびアルキルポリグルコシドなどの非イオン性界面活性剤；塩化アルキルトリメチルアンモニウムなどの陽イオン性界面活性剤；アルキルジメチルアミンオキシドなどの半極性界面活性剤；アルギン酸、カルボキシビニルポリマー、カルボキシメチルセルロース、ヒドロキシプロピルメチルセルロース、ヒドロキシエチルセルロース、およびキサンタンガムなどの水溶性高分子；ピロリドンカルボン酸塩、クエン酸塩、リンゴ酸塩、および食塩などの有機または無機塩類；殺菌剤；抗酸化剤；紫外線吸収剤；動植物由来の天然エキス；色素；および香料などを配合できる。
【００３３】
（クリーム状洗浄剤組成物）
本発明のクリーム状洗浄剤組成物は、上記ａ成分〜ｅ成分を必須成分として含み、必要に応じて、ｆ成分〜ｈ成分を含む。すなわち、混合脂肪酸（ａ成分）、二価アルコール（ｂ成分）、アルカノールアミド型非イオン性界面活性剤（ｃ成分）、キレート剤（ｄ成分）、およびアルカリ金属水酸化物（ｅ成分）を特定の割合で含み、必要に応じて、ソルビタン脂肪酸エステル型非イオン性界面活性剤（ｆ成分）、アルキルアミノジカルボン酸塩型両性界面活性剤（ｇ成分）、および上記硫酸基を有する陰イオン性界面活性剤（ｈ成分）を含有し得る。また、任意で添加剤（ｉ成分）を含有し得る。
【００３４】
ａ成分は、クリーム状洗浄剤組成物中に２０〜５０質量％、好ましくは２５〜４５質量％、さらに好ましくは２７〜４０質量％含まれる。２０質量％未満の場合は安定性に問題を生じ、かつ十分な起泡力が得られない。また、５０質量％を超える場合には使用性および泡質が悪くなり、かつ洗浄後につっぱり感を有する。ａ成分の構成は上記の通りである。
【００３５】
ｂ成分は、クリーム状洗浄剤組成物中に５〜１５質量％、好ましくは５〜１３質量％、さらに好ましくは６〜１２質量％含まれる。５質量％未満の場合はつっぱり感を有して洗い上がりの感触が悪くなり、かつ洗浄後の肌にはりを与える効果が弱くなる。また、１５質量％を超える場合は経時安定性が悪くなる。なお、ｂ成分は単独で用いてもよいし、２種類以上を併用してもよい。
【００３６】
ｃ成分は、クリーム状洗浄剤組成物中に０．５〜４質量％、好ましくは０．５〜３質量％含まれる。０．５質量％未満の場合は泡質および安定性が悪くなる。また、４質量％を超える場合は速泡性、洗浄時および洗浄後の感触が悪くなる。なお、ｃ成分は単独で用いてもよいし、２種類以上を併用してもよい。
【００３７】
ｄ成分は、クリーム状洗浄剤組成物中に０．１〜２質量％、好ましくは０．１〜１．５質量％、さらに好ましくは０．２〜１質量％含まれる。０．１質量％未満の場合は速泡性および起泡性が悪くなり、かつ安定性が悪くなる。２質量％を超える場合は洗いあがりの感触が悪くなる。
【００３８】
ｅ成分は、ａ成分に対して０．６５〜０．９当量、好ましくは０．７〜０．８７当量、さらに好ましくは０．７５〜０．８５当量含まれる。０．６５当量未満の場合は泡立ちおよび経時安定性が悪くなり、かつたれなどの問題を生じる。また、０．９当量を超える場合は使用性が悪くなり、かつ肌にはりを与える効果が悪くなるだけでなく、刺激性を有することがある。
【００３９】
また、ｆ成分は、より安定性向上および泡質を改善するために、クリーム状洗浄剤組成物中に０．１〜５質量％含有することが好ましく、さらに好ましくは０．５〜３質量％含まれる。
【００４０】
また、ｇ成分およびｈ成分は、より刺激性低下と泡立ちの改善、および洗浄後の感触向上のために、クリーム状洗浄剤組成物中に０．５〜８質量％含有することが好ましい。ｇ成分およびｈ成分を単独で用いてもよいが、ｇ成分およびｈ成分を併用することが好ましく、併用する場合、ｇ成分およびｈ成分の重量比（ｇ/ｈ）は、１／２〜５を満足する範囲が好ましい。
【実施例】
【００４１】
次に実施例によって、本発明をさらに詳細に説明する。
【００４２】
（実施例１〜１０および比較例１〜６）
実施例１〜１０および比較例１〜６のクリーム状洗浄剤組成物を、表１〜３に示した成分を表１〜３に示す割合で調製した。
【００４３】
【表１】
2006096913.tif 000003
【００４４】
【表２】
2006096913.tif 000004
【００４５】
【表３】
2006096913.tif 000005
【００４６】
調製したクリーム状洗浄剤組成物について、（１）起泡性、（２）使用性および速泡性、（３）泡質、（４）刺激性、（５）すすぎ時の感触、（６）洗顔後の肌の感触、（７）洗顔後の肌のはり、および（８）経持安定性ついて下記の方法により評価した。結果を表４に示す。
【００４７】
（１）起泡性（泡高さ）
組成物濃度５質量％の水溶液を調製してロスマイルス法により、２５℃で投入直後の泡高さを測定した。泡の投入直後の泡高さが２００ｍｍ以上のものを起泡性の良好な洗顔料であると評価した。表４においては、泡の投入直後の泡高さが２００ｍｍ以上を○、２００ｍｍ未満を×として表した。
【００４８】
（２）起泡性（泡の持続率）
組成物濃度５質量％の水溶液を調製してロスマイルス法により、２５℃で投入直後の泡高さおよび５分後の泡高さを測定し、泡の持続率を［（５分後の泡高さ）／（試料投入直後の泡高さ）］×１００の式で求めた。泡の持続率が９０％以上のものを起泡性（泡の持続率）の良好な洗顔料であると評価した。表４においては、泡の持続率が９０％以上を○、９０％未満を×として表した。
【００４９】
（３）使用性および速泡性
２０名の女性（２２〜３７才）をパネラーとし、組成物５ｇを用いて洗顔した時の取り易さ、泡立て易さ、および泡立ちの速さについて下記のように評価した。
２点：手に取った時の硬さがちょうど良く、溶けも早く素早く泡立つと感じた場合。
１点：若干硬いもしくは若干泡立て難く泡立ちがやや遅いと感じた場合。
０点：生地が硬すぎるもしくは溶けが遅く泡立て難いと感じた場合。
２０名の平均値を求めて、１．５点以上を使用性および速泡性の良好な洗顔料であると評価した。表４においては、平均点が１．５点以上を○、１．５点未満を×として表した。
【００５０】
（４）泡質
２０名の女性（２２〜３７才）をパネラーとし、組成物５ｇを用いて洗顔した時の泡質について下記のように評価した。
２点：泡がクリーミィでかつ程よい硬さであると感じた場合。
１点：泡が若干粗くクリーミィさに欠けると感じた場合。
０点：泡が粗いもしくは頼りないと感じた場合。
２０名の平均値を求めて、平均値１．５点以上を泡質の良好な洗顔料であると評価した。表４においては、平均点が１．５点以上を○、１．５点未満を×として表した。
【００５１】
（５）刺激性
２０名の女性（２２〜３７才）をパネラーとし、組成物５ｇを用いて洗顔した時の刺激性について下記のように評価した。
２点：洗顔時及び洗顔後の肌にピリピリ感が全く無かった場合。
１点：洗顔時または洗顔後に肌が極僅かピリピリすると感じた場合。
０点：洗顔時または洗顔後に明らかに肌がピリピリすると感じた場合。
２０名の平均値を求めて、平均値１．５点以上を刺激性の少ない洗顔料であると評価した。表４においては、平均点が１．５点以上を○、１．５点未満を×として表した。
【００５２】
（６）すすぎ時の感触
２０名の女性（２２〜３７才）をパネラーとし、組成物５ｇを用いて洗顔後、すすいでいる時の感触について下記のように評価した。
２点：すすぎ時にぬめり感が無くかつひっかからなくて泡切れも良いと感じた場合。
１点：すすぎ時にややぬめり感があるまたはややひっかかる感じがするもしくはやや泡切れが悪いと感じた場合。
０点：すすぎ時にぬめり感があるまたはひっかかり感があるもしくは泡切れが悪いと感じた場合。
２０名の平均値を求めて、平均値１．５点以上をすすぎ時の感触が良好な洗顔料であると評価した。表４においては、平均点が１．５点以上を○、１．５点未満を×として表した。
【００５３】
（７）洗顔後の肌の感触
２０名の女性（２２〜３７才）をパネラーとし、組成物５ｇを用いて洗顔した後の感触について下記のように評価した。
２点：洗顔後に肌がつっぱらずしかもさっぱりすると感じた場合。
１点：洗顔後に肌がややつっぱるかややさっぱりすると感じた場合。
０点：洗顔後の肌がつっぱるかさっぱり感が無いと感じた場合。
２０名の平均値を求めて、平均値１．５点以上を洗顔後の肌の感触が良好な洗顔料であると評価した。表４においては、平均点が１．５点以上を○、１．５点未満を×として表した。
【００５４】
（８）洗顔後の肌のはり
２０名の女性（２２〜３７才）をパネラーとし、組成物５ｇを用いて洗顔した後の感触について下記のように評価した。
２点：洗顔後の肌にはりがでたと感じた場合。
１点：洗顔後の肌にややはりがでたと感じた場合。
０点：洗顔後の肌にはりが無いと感じた場合。
２０名の平均値を求めて、平均値１．５点以上を洗顔後の肌にはりとうるおいを与える組成物であると評価した。表４においては、平均点が１．５点以上を○、１．５点未満を×として表した。
【００５５】
（９）経時安定性
組成物を透明ガラス容器に密封して２℃、５℃、２５℃、４０℃で１ヶ月間保存し、その外観を観察して、以下に示す４段階で評価し、◎および○を合格とした。
◎：安定性良好（外観の変化が無く、生地を延ばした時に粒やダマが全く無い。）
○：安定性ほぼ良好（外観の変化がなく、生地を延ばした時に粒やダマが殆ど無い。）
△：安定性やや不良（若干分離または若干変色を生じたり、若干粒やダマが確認される。）
×：安定性不良（分離または変色が著しい。もしくは粒やダマが明確に確認される。）
【００５６】
【表４】
2006096913.tif 000006
【００５７】
実施例１〜１０の本発明のクリーム状洗浄剤組成物（洗顔料）は、いずれも低刺激性であり、使用性、速泡性、および起泡性に優れ、泡質がクリーミィであって、経時安定性に優れている。また、洗浄時および洗い上がりの感触が良好であり、かつ洗浄後の肌にはりを与えた。
【００５８】
一方、比較例１〜６のクリーム状洗浄剤組成物（洗顔料）は、十分な性能が得られていない。比較例１では、ＦＡ２成分が配合されていないので経時安定性が悪くなっている。比較例２では、ＦＡ１とＦＡ２の比（ＦＡ１／ＦＡ２）が本発明の範囲より小さくなっているので速泡性、起泡性、および使用性が悪くなっている。比較例３では、ｂ成分が本発明の範囲より少なく配合されているので洗顔後の肌の感触、および肌のはりが悪くなっている。比較例４および比較例５では、ｃ成分が本発明の範囲より少なく配合されている、または配合されていないので泡質および経時安定性が悪くなっている。比較例６ではｄ成分が配合されていないので使用性、速泡性、および起泡性が悪く、さらに経時安定性も悪くなっている。
【産業上の利用可能性】
【００５９】
本発明のクリーム状洗浄剤組成物は経時安定性に優れ、さらに適度な硬さを有し、すばやく泡立ち（速泡性があり）かつ起泡性に優れ、クリーミィな泡質を提供できる組成物であり、肌に対して低刺激性であり、洗浄時および洗い上がりの感触が良好であり、かつ洗浄後の肌にはりを与えるので、ボディーシャンプー、ハンドソープおよび洗顔料などとして利用できる。